(57)【特許請求の範囲】
【請求項１】
高級ロング・ターム・エボリューションシステムにおける参照信号シーケンスのマッピング方法であって、参照信号シーケンスを直交周波数分割多重符号lにマッピングするこ
とに用いられ、システムがノーマルサイクリックプレフィックスを採用する場合、
【数１】
0005487320.tif 000085
という表現式によって前記符号lを確定することを含み、
システムが配分する物理リソースブロックインデックスｎＰＲＢ、1つのリソースブロックに含まれるサブキャリアの数
【化１】
0005487320.tif 000086
、及び以下のような表現式によって、前記参照信号シーケンスをアンテナポートpの前記符号lにおけるサブキャリアkの位置
【化２】
0005487320.tif 000087
にマッピングすることをさらに含む高級ロング・ターム・エボリューションシステムにおける参照信号シーケンスのマッピング方法。
【数２】
0005487320.tif 000088
または、
【数３】
0005487320.tif 000089
または、
【数４】
0005487320.tif 000090
または、
【数５】
0005487320.tif 000091
【請求項２】
前記特殊なサブフレームはDwPTSタイムスロットを含むサブフレームである請求項１に記載の方法。
【請求項３】
高級ロング・ターム・エボリューションシステムにおける参照信号シーケンスのマッピングシステムであって、前記参照信号シーケンスを直交周波数分割多重符号lにマッピングすることに用いられ、該システムはマッピングモジュールを含み、
前記マッピングモジュールは、システムがノーマルサイクリックプレフィックスを採用する場合に以下のような表現式によって前記符号lを確定するように設置され、
【数６】
0005487320.tif 000092
前記システムは、第1取得モジュール及び第2取得モジュールをさらに含み、
前記第1取得モジュールはシステムが配分する物理リソースブロックインデックスnPRB
を取得するように設置され、
前記第2取得モジュールはリソースブロックに含まれるサブキャリアの数
【化３】
0005487320.tif 000093
を取得するように設置され、
前記マッピングモジュールは、さらに、前記物理リソースブロックインデックスnPRB、サブキャリアの数
【化３】
0005487320.tif 000094
及び以下のような表現式によって前記参照信号シーケンスをアンテナポートpの前記符号lにおけるサブキャリアkの位置
【化４】
0005487320.tif 000095
にマッピングするように設置される高級ロング・ターム・エボリューションシステムにおける参照信号シーケンスのマッピングシステム。
【数７】
0005487320.tif 000096
【請求項４】
前記特殊なサブフレームはDwPTSタイムスロットを含むサブフレームである請求項３に記載のシステム。
【発明の詳細な説明】
【発明の詳細な説明】
【０００１】
〔技術分野〕
本発明は高級ロング・ターム・エボリューション(Further Advancements for E-UTRA、LTE-Advanced又はLTE-A)無線通信システムに関し、特にLTE-Aシステムにおける参照信号シーケンスのマッピングシステム及び方法に関する。
【０００２】
〔背景技術〕
複数入力複数出力(MIMO)技術はシステムの容量を増大させ、伝送性能を向上させることができ、且つ他の物理層技術によく融合することができ、このため、後の3世代(B3G)と第4世代(4G)移動通信システムのキーテクノロジーになる。しかし、チャネル相関性が強い場合、マルチパスチャネルによるダイバーシティ利得と多重化利得とが大幅に低減し、MIMOシステム性能の大幅な低下を引き起こす。
【０００３】
既存技術に新しいMIMOプリコーディング方法が提案され、該方法は、効率の高いMIMO多重化方式であり、送信端と受信端とのプリコーディング処理によってMIMOチャネルを複数の独立な仮想チャネルに分割する。チャネル相関性の影響を効果的に除去したため、プリコーディング技術は各種の環境でのMIMOシステムの安定性能を保証する。
【０００４】
ロング・ターム・エボリューション(Long Term Evolution、LTE)システムは第3世代パートナーシップ・プロジェクト(3GPP)の重要な計画である。図1(a)と図1(b)とがそれぞれロング・ターム・エボリューション(Long Term Evolution、LTE)システムの周波数分割複信(Frequency Division Duplex、FDD)モードと時分割複信(Time Division Duplex、TDD)モードのフレーム構造模式図である。
【０００５】
図1(a)に示すFDDモードのフレーム構造において、10msの1つの無線フレーム(radio frame)は、長さ0.5ms、番号0〜19の20個のタイムスロット(slot)から構成され、タイムスロット2iと2i+1とが長さ1msのサブフレーム(subframe)iを構成する。
【０００６】
図1(b)に示すTDDモードのフレーム構造において、10msの1つの無線フレーム(radio frame)は、長さ5msの2つのハーフフレーム(half frame)から構成され、1つのハーフフレームは長さ1msの5つのサブフレーム(subframe)を含む。サブフレームiは長さ0.5msの2つのタイムスロット2i及び2i+1に定義される。1つの特殊なサブフレームは3つの特殊なタイムスロットを含み、即ち、ダウンリンクパイロットタイムスロット(DwPTS)、保護タイムスロット(GP)、アップリンクパイロットタイムスロット(UpPTS)であり、3つの特殊なタイムスロットが1つのサブフレームにおける割合関係は合計で以下の表1に示すような9種類の配置を有し、TSはサンプリング周波数である。
【０００７】
表1 特殊なサブフレームにおける特殊なタイムスロットの配置
【０００８】
【表１】
0005487320.tif 000002
【０００９】
2種類のフレーム構造において、システムがノーマルサイクリックプレフィックス(Normal Cyclic Prefix、Normal CP)を採用する場合、1つのタイムスロットに長さのアップ/ダウンリンク符号が7つ含まれ、システムがエクステンドCPを採用する場合、1つのタイムスロットに長さのアップ/ダウンリンク符号が6つ含まれる。上記の符号は直交周波数分割多重(OFDM)符号である。
【００１０】
1つのリソースエレメント(Resource Element、RE)は1つのOFDM符号における1つのサブキャリアであり、1つのダウンリンクリソースブロック(Resource Block、RB)は12つの連続的なサブキャリアと7つの連続的な(エクステンドサイクリックプレフィックスを採用する場合、6つである)OFDM符号からなり、周波数領域では180kHzであり、時間領域では1つの普通タイムスロットの時間長さである。図2に示すように、LTEシステムはリソースを配分する場合、リソースブロックを基本単位として配分を行なう。
【００１１】
LTEシステムは4つのアンテナのMIMO応用を支持し、相応するアンテナポート#0、アンテナポート#1、アンテナポート#2及びアンテナポート#3は全帯域幅のセルパブリック参照信号(Cell-specific reference signals、CRS)方式を採用する。サイクリックプレフィックスがノーマルサイクリックプレフィックスである場合、これらのパブリック参照信号の物理リソースブロックにある位置は図3(a)に示すようになる。サイクリックプレフィックスがエクステンドサイクリックプレフィックスである場合、これらのパブリック参照信号の物理リソースブロックにある位置は図3(b)に示すようになる。図3(a)及び図3(b)において、横座標1はサブフレームのOFDM符号にある序号を示し、C1、C2、C3及びC4はセルのパブリック参照信号のロジックポート#0、ロジックポート#1、ロジックポート#2及びロジックポート#3に対応する。
【００１２】
また、ユーザ専用の参照信号(UE-specific reference signals)をさらに有し、該参照信号はユーザ専用の物理ダウンリンク共有チャネル(Physical downlink shared channel、PDSCH)が位置する時間周波数領域位置に伝送される。セル専用の参照信号機能はダウンリンクチャネルの品質への測量とダウンリンクチャネルへの推定(復調)とを含みる。
【００１３】
高級ロング・ターム・エボリューション(Further Advancements for E-UTRA、LTE-Advanced又はLTE-A)はLTE Release-8の進化バージョンである。3GPP TR 25.913：「Requirements for Evolved UTRA (E-UTRA) and Evolved UTRAN (E-UTRAN)」の全ての関連需要を満足し又は超える以外、国際電気通信連合無線通信部門(ITU-R)が提出したIMT-Advancedの需要をさらに達し又は超える。LTE Release-8と下位互換する需要とは、LTE Release-8の端末がLTE-Advancedのネットワークに稼動することができ、LTE-Advancedの端末がLTE Release-8のネットワークに稼動することができることを意味する。
【００１４】
また、LTE-Advancedは、LTE Release-8より広いスペクトル配置(例えば100MHzの連続的なスペクトルリソース)を含む大きさの異なるスペクトル配置で稼動すべきであり、より高い性能及び目標ピークレートに達するようにする。
【００１５】
LTE-AdvancedネットワークがLTEユーザにアクセスすることができる必要があるため、その操作の周波数帯域は目下のLTE周波数帯域を覆う必要があり、この周波数バンドにすでに100MHzの配分可能な連続的なスペクトル帯域幅が存在しないため、LTE-Advancedが解決する必要がある1つの直接技術は、異なる周波数バンドに分布されるいくつかの連続的な成分搬送波(スペクトル)を、キャリア・アグリゲーション(Component carrier)技術で束ねて、LTE-Advancedが使用可能な100MHz帯域幅を形成することである。即ち、束ねた後のスペクトルはn個の成分搬送波(スペクトル)に分けられ、各成分搬送波(スペクトル)内のスペクトルは連続的である。
【００１６】
2008年9月に提案されたLTE-Advancedの要求研究報告TR 36.814 V0.1.1に、LTE-Advancedダウンリンクが多くとも8つのアンテナの応用を支持できることをすでに明確していた。2009年2月の3GPPの第56回会議で、LTE-Advancedについて、8つのアンテナの応用を支持するため及びマルチポイント協調伝送(CoMP)、デュアルレイヤ ビームフォーミング(Beamforming)等の技術の使用でのLTE-Advancedダウンリンク参照信号の設計ウェイフォワード(Way forward)を明確にし、LTE-Advancedに操作するダウンリンク参照信号を2種類のタイプの参照信号に定義し、即ち、PDSCH復調に向かう参照信号及びチャネル状態情報(Channel Status Information、CSI)に向かって発生された参照信号であり、且つ、PDSCH復調に向かう参照信号が層に基づいて送信され、各層が1種類の参照信号に対応し、LTE-Advancedシステムにおいて、多くとも支持できる層数が8つである。
【００１７】
目下、両層の参照信号の1つのサブフレームにある時間周波数位置はすでに確定され、図4(a)及び図4(b)に示すように、シーケンスのマッピング方法は2種類の方式を有し、即ち、まず周波数領域でマッピングし、次に時間領域でマッピングし、又は、物理リソースブロックに応じて1つずつマッピングし、次に物理リソースブロック内にまず周波数領域、次に時間領域という方式に応じてマッピングし、しかし、2種類の方案はいずれも具体的な実現方法を有しないため、具体的な実現方法を提供する必要があり、マルチアンテナ伝送機能の応用を保証するようにする。
【００１８】
〔発明の概要〕
本発明が解決しようとする技術課題は、LTE-Aシステムにおける参照信号シーケンスのマッピングシステム及び方法を提供する必要があり、参照信号シーケンスを相応する物理リソースにマッピングすることに用いられることである。
【００１９】
上記技術課題を解決するために、本発明はまず高級ロング・ターム・エボリューションシステムにおける参照信号シーケンスのマッピング方法を提供し、参照信号シーケンスを直交周波数分割多重符号lにマッピングすることに用いられ、システムがノーマルサイクリックプレフィックスを採用する場合、以下のような表現式によって前記符号lを確定する。
【００２０】
【数１】
0005487320.tif 000003
【００２１】
好ましくは、上記方法は、以下のような表現式によって前記参照信号シーケンスをアンテナポートpの前記符号lにおけるサブキャリアkの位置
【００２２】
【化１】
0005487320.tif 000004
【００２３】
にマッピングすることをさらに含む。
【００２４】
【数２】
0005487320.tif 000005
【００２５】
前記特殊なサブフレームはDwPTSタイムスロットを含むサブフレームである。
【００２６】
好ましくは、上記方法は以下のような表現式によって前記参照信号シーケンスをアンテナポートpの前記符号lにおけるサブキャリアkの位置
【００２７】
【化２】
0005487320.tif 000006
【００２８】
にマッピングすることをさらに含む。
【００２９】
【数３】
0005487320.tif 000007
【００３０】
好ましくは、上記方法は、以下のような表現式によって前記参照信号シーケンスをアンテナポートpの前記符号lにおけるサブキャリアkの位置
【００３１】
【化３】
0005487320.tif 000008
【００３２】
にマッピングすることをさらに含む。
【００３３】
【数４】
0005487320.tif 000009
【００３４】
好ましくは、上記方法は、以下のような表現式によって前記参照信号シーケンスをアンテナポートpの前記符号lにおけるサブキャリアkの位置
【００３５】
【化４】
0005487320.tif 000010
【００３６】
にマッピングすることをさらに含む。
【００３７】
【数５】
0005487320.tif 000011
【００３８】
上記技術課題を解決するために、本発明は高級ロング・ターム・エボリューションシステムにおける参照信号シーケンスのマッピングシステムをさらに提供し、前記参照信号シーケンスを直交周波数分割多重符号lにマッピングすることに用いられ、該システムはマッピングモジュールを含み、
前記マッピングモジュールは、システムがノーマルサイクリックプレフィックスを採用する場合に以下のような表現式によって前記符号lを確定することに設置される。
【００３９】
【数６】
0005487320.tif 000012
【００４０】
好ましくは、該システムは、第1取得モジュール及び第2取得モジュールをさらに含み、その中、
前記第1取得モジュールはシステムが配分する物理リソースブロックインデックスnPRBを取得するように設置され、
前記第2取得モジュールはリソースブロックに含まれるサブキャリアの数
【００４１】
【化５】
0005487320.tif 000013
【００４２】
を取得するように設置され、
その中、
前記マッピングモジュールは、前記物理リソースブロックインデックスnPRB、サブキャリアの数
【００４３】
【化６】
0005487320.tif 000014
【００４４】
及び以下のような表現式によって、前記参照信号シーケンスをアンテナポートpの前記符号lにおけるサブキャリアkの位置
【００４５】
【化７】
0005487320.tif 000015
【００４６】
にマッピングするように設置される。
【００４７】
【数７】
0005487320.tif 000016
【００４８】
前記特殊なサブフレームはDwPTSタイムスロットを含むサブフレームである。
【００４９】
本発明によるシステム及び方法は干渉ランダム化を保証すると同時に、伝送の性能をさらに保証し、且つ既存のLTEシステムと互換性を持ち、高次のMIMO伝送を実現し、相応技術の使用を支持し、システムの全体性能を向上させる。
【００５０】
本発明の他の特徴と利点とが後続の明細書に述べられ、且つ、部分的に明細書から明らかに見ることができ、又は本発明の実施によって知られる。本発明の目的と他の利点とが、明細書、請求の範囲及び図面に特に指摘される構造によって実現、獲得され得る。
【００５１】
〔図面の簡単な説明〕
図面は本発明へのさらなる理解を提供することに用いられ、且つ説明書の一部を構成し、本発明の実施例とともに本発明を解釈することに用いられ、本発明を制限するためのものではない。図面において、
図1(a)はLTEシステムFDDモードのフレーム構造模式図である。
図1(b)はLTEシステムTDDモードのフレーム構造模式図である。
図2はシステム帯域幅が5MHzであるLTEシステムの物理リソースブロック模式図である。
図3(a)はノーマルCP場合の、専用の参照信号の物理リソースブロックにある位置模式図である。
図3(b)はエクステンドCP場合の、専用の参照信号の物理リソースブロックにある位置模式図である。
図4(a)はノーマルCP場合の、両層の参照信号の層1の物理リソースブロックにある位置模式図である。
図4(b)はノーマルCP場合の、両層の参照信号の層2の物理リソースブロックにある位置模式図である。
図5は本発明発生システム実施例の組成模式図である。
図6は本発明マッピングシステム実施例の組成模式図である。
【００５２】
〔発明を実施するための形態〕
以下、図面及び実施例を結合して本発明の実施形態を詳しく説明し、これによって、本発明がどのように技術手段を応用して技術問題を解決し、且つ技術効果を達成する実現過程を十分に理解することができ、且つこれによって実施する。
【００５３】
なお、対立しないと、本発明実施例及び実施例における各特徴が互いに結合され、いずれも本発明の保護範囲内にある。また、図面のフローチャートに示したステップは、例えば1組のコンピュータが指令を実行できるコンピュータシステムに実行することができ、且つ、フローチャートにロジック順序を示したが、ある場合では、これと異なる順序で示した又は叙述したステップを実行し得る。
【００５４】
本発明が提案した、LTE-Advancedシステムに対する参照信号の送信方法において、各層が対応する参照信号はそれぞれ層1の参照信号#0及び層2の参照信号#1を記し、各参照信号は各自の相応する層に送信する。
【００５５】
本発明方法において、参照信号を送信する層数は2であり、それぞれ参照信号#0及び参照信号#1を送信する。
【００５６】
参照信号#0は、サブフレームにおける第1のタイムスロットの最後からの第2の符号の第1、第6及び第11のサブキャリアと最後からの第1の符号の第1、第6及び第11のサブキャリアに、及び第2のタイムスロットの最後からの第2の符号の第1、第6及び第11のサブキャリアと最後からの第1の符号の第1、第6及び第11のサブキャリアに位置され、対応する直交符号は{1,1}である。
【００５７】
参照信号#1は、サブフレームにおける第2のタイムスロットの最後からの第2の符号の第1、第6及び第11のサブキャリアと最後からの第1の符号の第1、第6及び第11のサブキャリアに、及び第2のタイムスロットの最後からの第2の符号の第1、第6及び第11のサブキャリアと最後からの第1の符号の第1、第6及び第11のサブキャリアに位置され、対応する直交符号は{1,-1}、{-1,1}の中の1つ又は2つである。
【００５８】
又は、
参照信号#0は、サブフレームにおける第1のタイムスロットの最後からの第2の符号の第2、第7及び第12のサブキャリアと最後からの第1の符号の第2、第7及び第12のサブキャリアに、及び第2のタイムスロットの最後からの第2の符号の第2、第7及び第12のサブキャリアと最後からの第1の符号の第2、第7及び第12のサブキャリアに位置され、対応する直交符号は{1,1}である。
【００５９】
参照信号#1は、サブフレームにおける第2のタイムスロットの最後からの第2の符号の第2、第7及び第12のサブキャリアと最後からの第1の符号の第2、第7及び第12のサブキャリアに、及び第2のタイムスロットの最後からの第2の符号の第2、第7及び第12のサブキャリアと最後からの第1の符号の第2、第7及び第12のサブキャリアに位置され、対応する直交符号は{1,-1}、{-1,1}の中の1つ又は2つである。
【００６０】
参照信号は1つの物理リソースブロックにおける1つのOFDM符号に3つのサブキャリアを占用する。
【００６１】
図4(a)及び図4(b)は、第1実施例及び第2実施例に本発明方法が層に基づく参照信号の、その相応するリソースブロックにある具体的なキャリア位置を示した。
【００６２】
図4(a)及び図4(b)におけるラベルT1及びT2は、それぞれ層1の参照信号#0及び層2の参照信号#1に対応する。
【００６３】
〔実施例１〕
参照信号は、ユーザの専用の物理共有チャネルが位置する時間周波数領域位置のみに伝送される。アンテナポート(層)号はp(p=7,8)であり、アンテナポート7とアンテナポート8の参照信号シーケンスの発生及びマッピング方法は以下の通りであり、
参照信号のシーケンスr(m)は以下のような表現式によって発生し、
【００６４】
【数８】
0005487320.tif 000017
【００６５】
その中、
Lは参照信号が需要するシーケンスの長さであり、
擬似ランダムシーケンスc(i)は以下のような表現式に応じて発生し、
【００６６】
【数９】
0005487320.tif 000018
【００６７】
その中、
【００６８】
【数１０】
0005487320.tif 000019
【００６９】
x2は擬似ランダムシーケンスの初期値によって、
【００７０】
【数１１】
0005487320.tif 000020
【００７１】
で発生し、
cinitの数値は以下の通りであり、
【００７２】
【数１２】
0005487320.tif 000021
【００７３】
その中、
nSは1つの無線フレームにおけるタイムスロットインデックスであり、
【００７４】
【化８】
0005487320.tif 000022
【００７５】
はセルの標識であり、
【００７６】
【化９】
0005487320.tif 000023
【００７７】
は下丸め演算であり、
nSCIDの数値は0又は1であり、シグナル伝達によって確定される。
【００７８】
Lはシステムの最大帯域幅
【００７９】
【化１０】
0005487320.tif 000024
【００８０】
であり、シーケンスをアンテナポートpの時間領域OFDM符号lにおけるサブキャリアkにマッピングし、具体的な方式は以下の通りであり、
システムがノーマルサイクリックプレフィックスを採用する場合、
【００８１】
【数１３】
0005487320.tif 000025
【００８２】
その中、
【００８３】
【化１１】
0005487320.tif 000026
【００８４】
はアンテナポートpの時間領域OFDM符号lにおけるサブキャリアkの位置を示し、
【００８５】
【数１４】
0005487320.tif 000027
【００８６】
つまり、
【００８７】
【数１５】
0005487320.tif 000028
【００８８】
その中、前記特殊なサブフレームはDwPTSタイムスロットを含むサブフレームであり、
nPRBはシステムが配分する物理リソースブロックインデックスを示し、
【００８９】
【化１２】
0005487320.tif 000029
【００９０】
は1つのリソースブロックに含まれるサブキャリアの数を示し、
上記表現式における直交シーケンスインデックスsは、
【００９１】
【数１６】
0005487320.tif 000030
【００９２】
であってもよく、サブキャリアインデックスkは、
【００９３】
【化１３】
0005487320.tif 000031
【００９４】
であってもよく、
又は、
【００９５】
【数１７】
0005487320.tif 000032
【００９６】
その中、
【００９７】
【化１４】
0005487320.tif 000033
【００９８】
はアンテナポートpの時間領域OFDM符号lにおけるサブキャリアkの位置を示し、
【００９９】
【数１８】
0005487320.tif 000034
【０１００】
つまり、
【０１０１】
【数１９】
0005487320.tif 000035
【０１０２】
及び、
m'=0,１又は2、
その中、前記特殊なサブフレームはDwPTSタイムスロットを含むサブフレームであり、
nPRBはシステムが配分する物理リソースブロックインデックスを示し、
【０１０３】
【化１５】
0005487320.tif 000036
【０１０４】
は1つのリソースブロックに含まれるサブキャリアの数を示す。
【０１０５】
上記表現式における直交シーケンスインデックスsは、
【０１０６】
【数２０】
0005487320.tif 000037
【０１０７】
であってもよく、サブキャリアインデックスkは、
【０１０８】
【化１６】
0005487320.tif 000038
【０１０９】
であってもよい。
【０１１０】
〔実施例２〕
参照信号は、ユーザの専用の物理共有チャネルが位置する時間周波数領域位置のみに伝送される。アンテナポート(層)号はp(p=7,8)であり、アンテナポート7とアンテナポート8の参照信号シーケンスの発生及びマッピング方法は以下通りであり、
参照信号のシーケンスr(m)は式(1)〜式(5)によって発生する。
【０１１１】
Lはシステムの最大帯域幅
【０１１２】
【化１７】
0005487320.tif 000039
【０１１３】
であり、シーケンスをアンテナポートpの時間領域OFDM符号lにおけるサブキャリアkにマッピングし、具体的な方式は以下の通りであり、
システムがノーマルサイクリックプレフィックスを採用する場合、
【０１１４】
【数２１】
0005487320.tif 000040
【０１１５】
その中、
【０１１６】
【化１８】
0005487320.tif 000041
【０１１７】
はアンテナポートpの時間領域OFDM符号lにおけるサブキャリアkの位置を示し、
【０１１８】
【数２２】
0005487320.tif 000042
【０１１９】
つまり、
【０１２０】
【数２３】
0005487320.tif 000043
【０１２１】
その中、前記特殊なサブフレームはDwPTSタイムスロットを含むサブフレームであり、
nPRBはシステムが配分する物理リソースブロックインデックスを示し、
【０１２２】
【化１９】
0005487320.tif 000044
【０１２３】
は1つのリソースブロックに含まれるサブキャリアの数を示し、
上記表現式における直交シーケンスインデックスsは、
【０１２４】
【数２４】
0005487320.tif 000045
【０１２５】
であってもよく、サブキャリアインデックスkは、
【０１２６】
【化２０】
0005487320.tif 000046
【０１２７】
であってもよく、
又は、
【０１２８】
【数２５】
0005487320.tif 000047
【０１２９】
その中、
【０１３０】
【化２１】
0005487320.tif 000048
【０１３１】
はアンテナポートpの時間領域OFDM符号lにおけるサブキャリアkの位置を示し、
【０１３２】
【数２６】
0005487320.tif 000049
【０１３３】
つまり、
【０１３４】
【数２７】
0005487320.tif 000050
【０１３５】
その中、前記特殊なサブフレームはDwPTSタイムスロットを含むサブフレームであり、
nPRBはシステムが配分する物理リソースブロックインデックスを示し、
【０１３６】
【化２２】
0005487320.tif 000051
【０１３７】
は1つのリソースブロックに含まれるサブキャリアの数を示す。
【０１３８】
上記表現式における直交シーケンスインデックスsは、
【０１３９】
【数２８】
0005487320.tif 000052
【０１４０】
であってもよく、サブキャリアインデックスkは、
【０１４１】
【化２３】
0005487320.tif 000053
【０１４２】
であってもよい。
【０１４３】
図5は本発明発生システム実施例の組成模式図であり、該発生システム実施例はアンテナポート7とアンテナポート8の参照信号シーケンスを発生することに用いられる。図5に示すように、該発生システム実施例は主に第1発生器510及び第2発生器520を含み、
該第1発生器510は、以下のような表現式によって擬似ランダムシーケンスc(i)を発生することに用いられ、
【０１４４】
【数２９】
0005487320.tif 000054
【０１４５】
その中、
【０１４６】
【数３０】
0005487320.tif 000055
【０１４７】
x2は擬似ランダムシーケンスの初期値によって、
【０１４８】
【数３１】
0005487320.tif 000056
【０１４９】
で発生し、
【０１５０】
【数３２】
0005487320.tif 000057
【０１５１】
その中、
nSは1つの無線フレームにおけるタイムスロットインデックスであり、
【０１５２】
【化２４】
0005487320.tif 000058
【０１５３】
はセルの標識であり、
【０１５４】
【化２５】
0005487320.tif 000059
【０１５５】
は下丸め演算であり、
nSCIDの数値は0又は1であり、シグナル伝達によって確定され、
該第2発生器520は、該第1発生器510に接続され、該擬似ランダムシーケンスc(i)及び以下のような表現式によって該参照信号シーケンスr(m)を発生することに用いられ、
【０１５６】
【数３３】
0005487320.tif 000060
【０１５７】
その中、Lはシステムの最大帯域幅である。
【０１５８】
図5に示すように、該第1発生器510は第1パラメータ発生モジュール511及び第2パラメータ発生モジュール512を含み、
第1パラメータ発生モジュール511は、該第2発生器520に接続され、
【０１５９】
【数３４】
0005487320.tif 000061
【０１６０】
によって第1パラメータx1を発生することに用いられ、その中、
【０１６１】
【数３５】
0005487320.tif 000062
【０１６２】
第2パラメータ発生モジュール512は、該第2発生器520に接続され、擬似ランダムシーケンスの初期値によって、
【０１６３】
【数３６】
0005487320.tif 000063
【０１６４】
で第2パラメータx2を発生することに用いられ、その中、
【０１６５】
【数３７】
0005487320.tif 000064
【０１６６】
その中、
nSは1つの無線フレームにおけるタイムスロットインデックスであり、
【０１６７】
【化２６】
0005487320.tif 000065
【０１６８】
はセルの標識であり、
【０１６９】
【化２７】
0005487320.tif 000066
【０１７０】
は下丸め演算であり、
nSCIDの数値は0又は1であり、シグナル伝達によって確定される。
【０１７１】
図6は本発明マッピングシステム実施例の組成模式図であり、参照信号シーケンスをマッピングすることに用いられる。図6に示すように、該マッピングシステムは主に第1取得モジュール610、第2取得モジュール620及びマッピングモジュール630を含み、
該第1取得モジュール610はシステムが配分する物理リソースブロックインデックスnPRBを取得するように設置され、
該第2取得モジュール620はリソースブロックに含まれるサブキャリアの数
【０１７２】
【化２８】
0005487320.tif 000067
【０１７３】
を取得するように設置され、
該マッピングモジュール630は該第1取得モジュール610及び該第2取得モジュール620に接続され、システムにノーマルサイクリックプレフィックスを採用して該物理リソースブロックインデックスnPRB、サブキャリアの数
【０１７４】
【化２９】
0005487320.tif 000068
【０１７５】
及び以下のような表現式によって該参照信号シーケンスをアンテナポートpの時間領域直交周波数分割多重符号lにおけるサブキャリアkの位置
【０１７６】
【化３０】
0005487320.tif 000069
【０１７７】
にマッピングするように設置され、
【０１７８】
【数３８】
0005487320.tif 000070
【０１７９】
その中、
【０１８０】
【数３９】
0005487320.tif 000071
【０１８１】
つまり、
【０１８２】
【数４０】
0005487320.tif 000072
【０１８３】
前記特殊なサブフレームはDwPTSタイムスロットを含むサブフレームであり、
m=0、1又は2、
又は、
該マッピングモジュール630は該物理リソースブロックインデックスnPRB、サブキャリアの数
【０１８４】
【化３１】
0005487320.tif 000073
【０１８５】
及び以下のような表現式によって該参照信号シーケンスを、
【０１８６】
【化３２】
0005487320.tif 000074
【０１８７】
にマッピングし、
【０１８８】
【数４１】
0005487320.tif 000075
【０１８９】
その中、
【０１９０】
【数４２】
0005487320.tif 000076
【０１９１】
又は、
該マッピングモジュール630は該物理リソースブロックインデックスnPRB、サブキャリアの数
【０１９２】
【化３３】
0005487320.tif 000077
【０１９３】
及び以下のような表現式によって該参照信号シーケンスを、
【０１９４】
【化３４】
0005487320.tif 000078
【０１９５】
にマッピングし、
【０１９６】
【数４３】
0005487320.tif 000079
【０１９７】
その中、
【０１９８】
【数４４】
0005487320.tif 000080
【０１９９】
又は、
該マッピングモジュール630は該物理リソースブロックインデックスnPRB、サブキャリアの数、
【０２００】
【化３５】
0005487320.tif 000081
【０２０１】
及び以下のような表現式によって該参照信号シーケンスを、
【０２０２】
【化３６】
0005487320.tif 000082
【０２０３】
にマッピングし、
【０２０４】
【数４５】
0005487320.tif 000083
【０２０５】
その中、
【０２０６】
【数４６】
0005487320.tif 000084
【０２０７】
明らかに、本分野の技術者がわかるべきなのは、上記の本発明の各モジュール又は各ステップを通用の計算装置で実現でき、これらは単一の計算装置に集中し、又は複数の計算装置で構成したネットワークに分布することができ、必要に応じて、これらを計算装置が実行できるプログラムコードで実現することができ、これによって、これらを記憶装置に記憶して計算装置により実行し、又はこれらを各集積回路モジュールにそれぞれ製作し、又はこれらにおける複数のモジュール又はステップを単一の集積回路モジュールに製作することで実現する。このように、本発明はいずれかの特定のハードウェアとソフトウェアとの結合に制限されない。
【０２０８】
本発明が開示する実施形態は以上のように述べられるが、上記の内容は本発明を理解しやすいために採用される実施形態にすぎなく、本発明を限定するためのものではない。本発明が属する技術分野内のいずれかの技術者は、本発明が開示する精神と範囲を逸脱しない前提で、実施の形態及び細部に任意の修正と変更を行なうことができるが、本発明の特許保護範囲は、依然として添付されていた請求の範囲が定義する範囲を基準とする。
【０２０９】
〔産業上の利用可能性〕
従来技術と比べ、本発明によるシステム及び方法は干渉ランダム化を保証すると同時に、伝送の性能をさらに保証し、且つ既存のLTEシステムと互換性を持ち、高次のMIMO伝送を実現し、相応技術の使用を支持し、システムの全体性能を向上させる。
【図面の簡単な説明】
【０２１０】
【図１】(a)はLTEシステムFDDモードのフレーム構造模式図である。(b)はLTEシステムTDDモードのフレーム構造模式図である。
【図２】システム帯域幅が5MHzであるLTEシステムの物理リソースブロック模式図である。
【図３】(a)はノーマルCP場合の、専用の参照信号の物理リソースブロックにある位置模式図である。(b)はエクステンドCP場合の、専用の参照信号の物理リソースブロックにある位置模式図である。
【図４】(a)はノーマルCP場合の、両層の参照信号の層1の物理リソースブロックにある位置模式図である。(b)はノーマルCP場合の、両層の参照信号の層2の物理リソースブロックにある位置模式図である。
【図５】本発明発生システム実施例の組成模式図である。
【図６】本発明マッピングシステム実施例の組成模式図である。
【図１】
0005487320.tif 000097
【図２】
0005487320.tif 000098
【図３】
0005487320.tif 000099
【図４】
0005487320.tif 000100
【図５】
0005487320.tif 000101
【図６】
0005487320.tif 000102